(57)【要約】      （修正有）【課題】搭乗者に対する日除けや雨除けの効果が高いことに加え、屋根シートが搭乗者と介助者との会話の妨げにならず、介助者の視野を確保することが可能である車椅子用屋根を提供する。【解決手段】車椅子のハンドルを有する垂直フレーム６に固定して起立する支柱１６と、支柱から屋根状に車椅子前方に向かって延設された屋根フレームと、上方から屋根フレームを被うように被装された屋根シート１２とから車椅子用屋根１０を形成する。さらに、屋根シートの後面を、搭乗者の後頭部の高さまで垂下すると共に、開口窓１２ｂを備えて搭乗者との会話を可能とする。【選択図】図２
0003158707.tif 000002
【実用新案登録請求の範囲】
【請求項１】
車椅子のハンドルを有する垂直フレームに固定して起立する支柱と、該支柱から屋根状に該車椅子前方に向かって延設された屋根フレームと、上方から該屋根フレームを被うように被装された屋根シートとからなる車椅子用屋根において、
該屋根シートの後面が、搭乗者の後頭部の高さまで垂下すると共に、開口窓を備えることを特徴とする車椅子用屋根。
【請求項２】
前記屋根シートの開口窓の上方から垂下し、該開口窓を開閉自在に塞ぐ垂下片を備えることを特徴とする請求項１記載の車椅子用屋根。
【請求項３】
前記垂下片が、通気性と透視性を有するメッシュ状であることを特徴とする請求項２記載の車椅子用屋根。
【考案の詳細な説明】
【技術分野】
【０００１】
本発明は、車椅子に装着して用いる車椅子用屋根に関する。
【背景技術】
【０００２】
従来より、身体障害者や高齢者が車椅子に乗って屋外を移動する場合に搭乗者に対する日除けや雨除けの目的で、車椅子用の屋根が用いられている。例えば、特許文献１に示されるようなものがある。特許文献１の折畳み式車椅子の覆い装置は、車椅子の各背杆の上部に左右一対の支柱を左右軸心を中心として回動可能に連結し、各支柱の回動端部に左右一対の支持杆を左右軸心を中心として回動可能に連結し、支持杆に可撓性の覆いを設けたものである。そして、覆いの後部側は、透明性のシートで形成され、介護者が車椅子を操作する際に、前方の視野が広がるようにされている。
【先行技術文献】
【特許文献】
【０００３】
【特許文献１】実用新案登録第３１３４１１６号公報
【考案の概要】
【考案が解決しようとする課題】
【０００４】
しかしながら、従来の車椅子用の屋根では、覆いの後部側は、透明性のシートであるものの完全な透明は望み得ず、濡れたり曇ったりして見にくくなってしまう。また、搭乗者と介助者との間に覆いがあるわけで、直接互いの声が届かず搭乗者と介助者との会話の妨げになってしまう。
【０００５】
本考案は、このような事情に鑑みてなされたもので、搭乗者に対する日除けや雨除けの効果が高いことに加え、屋根シートが搭乗者と介助者との会話の妨げにならず、介助者の視野を確保することが可能である車椅子用屋根を提供することにある。
【課題を解決するための手段】
【０００６】
請求項１記載の車椅子用屋根は、屋根シートの後面が、搭乗者の後頭部の高さまで垂下すると共に、開口窓を備えることを特徴とする。
【０００７】
請求項２記載の車椅子用屋根は、屋根シートの開口窓の上方から垂下し、開口窓を開閉自在に塞ぐ垂下片を備えることを特徴とする。
【０００８】
請求項３記載の車椅子用屋根は、垂下片が、通気性と透視性を有するメッシュ状であることを特徴とする。
【考案の効果】
【０００９】
請求項１の考案によれば、屋根シートの後面が、搭乗者の後頭部の高さまで垂下するため、搭乗者に対する日除けや雨除けの効果が高いことに加え、垂下する部分に開口窓を備えることから、屋根シートが搭乗者と介助者との会話の妨げにならず、介助者の視野を確保することが可能である。
【００１０】
請求項２の考案によれば、屋根シートの開口窓の上方から垂下し、開口窓を開閉自在に塞ぐ垂下片を備えることから、必要に応じて垂下片で開口窓を塞げばよく、日差しや雨が強い場合に日除けや雨除けの効果を確保可能である。
【００１１】
請求項３の考案によれば、垂下片が通気性と透視性を有するメッシュ状であることから、開口窓を垂下片で塞いだ場合でも、日除けや雨除けの効果を維持しつつ、屋根シートが搭乗者と介助者との会話の妨げにならず、介助者の視野を確保することが可能である。
【図面の簡単な説明】
【００１２】
【図１】本考案に係る車椅子用屋根の一例を示す側面図である。
【図２】同車椅子用屋根の正面図である。
【図３】同車椅子用屋根の拡大背面図である。
【図４】同車椅子用屋根の使用状態を示す側面図である。
【図５】同車椅子用屋根の使用状態を示す正面図である。
【図６】同車椅子用屋根の使用状態を示す拡大背面図である。
【考案を実施するための形態】
【００１３】
以下、本考案の形態について図面を参照しながら具体的に説明する。図１は、本考案に係る車椅子用屋根の一例を示す側面図である。図２は、同車椅子用屋根の正面図である。図３は、同車椅子用屋根の拡大背面図である。図４は、同車椅子用屋根の使用状態を示す側面図である。図５は、同車椅子用屋根の使用状態を示す正面図である。図６は、同車椅子用屋根の使用状態を示す拡大背面図である。
【００１４】
図１〜図６において、本考案の形態における車椅子用屋根１０は、身体障害者や高齢者が車椅子１に乗って屋外を移動する場合に搭乗者Ｓに対する日除けや雨除けの目的で、車椅子１に取り付けられるものである。車椅子用屋根１０は、車椅子１のハンドル８を有する左右の垂直フレーム６に固定して起立する支柱１６と、支柱１６から屋根状に車椅子１の前方に向かって延設された屋根フレーム１８と、上方から屋根フレーム１８を被うように被装された屋根シート１２とから構成される。
【００１５】
車椅子用屋根１０の屋根シート１２は、布製で特に防水性を有する生地を用いるのが好ましい。屋根シート１２の後面１２ａは、搭乗者Ｓの後頭部の高さまで垂下し、搭乗者Ｓの頭部や日除けや雨除けの役目を果たしている。この屋根シート１２の後面１２ａの中央には、開口窓１２ｂが設けられている。開口窓１２ｂは、開口窓１２ｂの上方から垂下し、開口窓１２ｂを開閉自在に塞ぐ垂下片１４を備えている。この垂下片１４は、通気性と透視性を有するメッシュ状の樹脂製の網である。また、垂下片１４の下部の内側には、ベルベットファスナ状の固定手段１４ａが設けられ、固定手段１４ａが垂下片１４の下部を屋根シート１２の後面１２ａに捲れ上がらないように固定可能にしている。尚、垂下片１４と開口窓１２ｂとの両脇に上下にスライドするファスナを設け、垂下片１４の両脇を屋根シート１２の後面１２ａに固定できるようにし、垂下片１４の捲れ上がりを防止するようにしてもよい。
【００１６】
次に、本実施の形態の車椅子用屋根１０の使用方法を説明する。まず、図１に示すように、車椅子１に車椅子用屋根１０を装着する。そして、車椅子１に搭乗者Ｓが乗った状態で、介助者Ｍがハンドル８を持って車椅子１を押して操作する。この状態で、図１及び図２に示すように、介助者Ｍは、屋根シート１２の後面１２ａの開口窓１２ｂから、車椅子１の前方及び搭乗者Ｓを目視しながら操作することになる。図１及び図２の場合、開口窓１２ｂは、垂下片１４で塞がれているので、図３に示すように、介助者Ｍは、メッシュ状の垂下片１４を介して、車椅子１の前方及び搭乗者Ｓを目視することになる。
【００１７】
以上のように、本実施の形態の車椅子用屋根１０によれば、屋根シート１２の開口窓１２ｂの上方から垂下し、開口窓１２ｂを開閉自在に塞ぐ垂下片１４を備えることから、必要に応じて垂下片１４で開口窓を塞げばよく、日差しや雨が強い場合に日除けや雨除けの効果を確保可能である。
【００１８】
また、垂下片１４が通気性と透視性を有するメッシュ状であることから、開口窓１２ｂを垂下片１４で塞いだ場合でも、日除けや雨除けの効果を維持しつつ、屋根シート１２が搭乗者Ｓと介助者Ｍとの会話の妨げにならず、介助者Ｍの視野を確保することが可能である。
【００１９】
また、介助者Ｍが、車椅子１の前方及び搭乗者Ｓへの視界をしっかりと確保したい場合には、図４〜図６に示すように、開口窓１２ｂを塞ぐ垂下片１４を巻き上げて開口窓１２ｂの上方に固定する。この時も、垂下片１４の下部の固定手段１４ａを屋根シート１２に固定するようにすれば、垂下片１４は巻き上げられた状態で固定される。そして、開口窓１２ｂが完全に開放された状態で、介助者Ｍは、開口窓１２ｂから、車椅子１の前方及び搭乗者Ｓを目視しながら操作するようにすればよい。
【００２０】
このように、屋根シート１２の後面１２ａが、搭乗者Ｓの後頭部の高さまで垂下するため、搭乗者Ｓに対する日除けや雨除けの効果が高いことに加え、垂下する部分に開口窓１２ｂを備えることから、屋根シート１２が搭乗者Ｓと介助者Ｍとの会話の妨げにならず、介助者Ｍの視野を確保することが可能である。
【産業上の利用可能性】
【００２１】
本考案により、搭乗者に対する日除けや雨除けの効果が高いことに加え、屋根シートが搭乗者と介助者との会話の妨げにならず、介助者の視野を確保することが可能である車椅子用屋根を提供することができる。
【符号の説明】
【００２２】
１・・・・・車椅子
６・・・・・垂直フレーム
８・・・・・ハンドル
１０・・・・車椅子用屋根
１２・・・・屋根シート
１２ａ・・・後面
１２ｂ・・・開口窓
１４・・・・垂下片
１４ａ・・・固定手段
１６・・・・支柱
１８・・・・屋根フレーム
【図１】
0003158707.tif 000003
【図２】
0003158707.tif 000004
【図３】
0003158707.tif 000005
【図４】
0003158707.tif 000006
【図５】
0003158707.tif 000007
【図６】
0003158707.tif 000008